(57)【要約】【課題】  増幅装置が各スピーカに出力する際の出力チャンネルの切り換え先を正確に切り換えることができる再生装置及び増幅装置を提供する。【解決手段】  光ディスクに記録された圧縮音声信号をデコードして複数チャンネルのＰＣＭ信号を抽出し、光ディスクに記録された圧縮音声信号に含まれるチャンネル数の情報を含むチャンネル構成情報を取得するデコード処理部と、デコード処理部が抽出した複数チャンネルのＰＣＭ信号の内から特定の２種類のチャンネルのＰＣＭ信号と当該特定のチャンネルと異なる２種類のチャンネルのＰＣＭ信号によって新たな２種類のＰＣＭ信号を生成するミキシング処理部と、ミキシング処理部が生成した前記新たな２種類のＰＣＭ信号と前記デコード処理部が取得した前記チャンネル数の情報を出力する音声出力部とを備える。【選択図】      図１
2012155789.tif 000002
【特許請求の範囲】
【請求項１】
光ディスクに記録された圧縮音声信号を再生する再生装置において、
光ディスクに記録された圧縮音声信号をデコードして複数チャンネルのＰＣＭ信号を抽出し、光ディスクに記録された圧縮音声信号に含まれるチャンネル数の情報を含むチャンネル構成情報を取得するデコード処理部と、
前記デコード処理部が抽出した複数チャンネルのＰＣＭ信号の内から特定の２種類のチャンネルのＰＣＭ信号と当該特定のチャンネルと異なる２種類のチャンネルのＰＣＭ信号によって新たな２種類のＰＣＭ信号を生成するミキシング処理部と、
前記ミキシング処理部が生成した前記新たな２種類のＰＣＭ信号と前記デコード処理部が取得した前記チャンネル数の情報を出力する音声出力部とを備えることを特徴とする再生装置。
【請求項２】
再生装置からＰＣＭ信号を入力し、当該ＰＣＭ信号をアナログ信号に変換した後、当該アナログ信号を増幅する増幅装置において、
前記再生装置から前記再生装置が光ディスクから抽出した複数チャンネルのＰＣＭ信号の内から特定の２種類のチャンネルのＰＣＭ信号と当該特定のチャンネルと異なる２種類のチャンネルのＰＣＭ信号から生成した新たな２種類のＰＣＭ信号及び光ディスクに記録された圧縮音声信号に含まれるチャンネル数の情報を入力する音声入力部と、
前記音声入力部が入力した前記新たな２種類のＰＣＭ信号から前記特定の２種類のチャンネルのＰＣＭ信号と前記特定のチャンネルと異なる２種類のチャンネルのＰＣＭ信号を抽出するチャンネル拡張部と、
前記チャンネル拡張部が抽出した前記特定の２種類のチャンネルのＰＣＭ信号と前記特定のチャンネルと異なる２種類のチャンネルのＰＣＭ信号をアナログ信号に変換するD／A変換部と、
前記D／A変換部が変換したアナログ信号を出力する出力端子の出力先を切り換える出力チャンネルセレクタと、
前記音声入力部が入力した前記チャンネル数の情報に基づいて、前記チャンネル拡張部による前記拡張及び前記出力チャンネルセレクタによる出力先の切り換えを制御するシステムコントローラ部とを備えることを特徴とする増幅装置。
【請求項３】
請求項１及び２記載の再生装置及び増幅装置において、
前記再生装置の前記音声出力部と前記増幅装置の前記音声入力部はＨＤＭＩ接続コードによって接続されることを特徴とする再生装置及び増幅装置。
【発明の詳細な説明】
【技術分野】
【０００１】
本発明は、光ディスクに記録された音声信号を再生する再生装置及び当該再生装置により再生した音声信号を増幅する増幅装置に関する。
【背景技術】
【０００２】
近年、ブルーレイディスク（（ＢＬu-Ｒay Disc）以下、ＢＤという。）等の記録媒体を再生することが可能な再生装置が知られている。ＢＤは、音声信号や映像信号が記録された光ディスクである。ＢＤに記録される音声信号には、マルチチャンネルのデジタル音声信号が高ビットレートの圧縮符号化方式で圧縮されて記録されているものがある。従来から知られているマルチチャンネルのデジタル音声信号は、前方中央の１チャンネル、前方の左右２チャンネル、後方の左右２チャンネル及びサブウーハ用の１チャンネルで構成された５．１チャンネル用のデジタル音声信号がある。
【０００３】
ＢＤ規格においては、これらマルチチャンネルの最大チャンネル数は８チャンネルであり、そのチャンネル構成は、前述した５．１チャンネルの構成以外にもいくつかの構成がある。例えば、近年多く使われているチャンネル構成は、フロント左チャンネル（以下、Ｌチャンネルという。）、センターチャンネル（以下、Cチャンネルという）、フロント右チャンネル（以下、Ｒチャンネルという）、サラウンド左チャンネル（以下、Ｌsチャンネルという。）、サラウンド右チャンネル（以下、Ｒsチャンネルという。）、サラウンドバック左チャンネル（以下、Ｌｂチャンネルという。）、サラウンドバック右チャンネル（以下、Ｒｂチャンネルという。）、及びサブウーハー用チャンネル（以下、ＬＦＥチャンネルという。）で構成される７．１Ｂａｃｋといわれるチャンネル構成であり、その他の構成として、前述した７．１Ｂａｃｋのチャンネル構成の内、Ｌｂチャンネル及びＲｂチャンネルを、それぞれサラウンドハイト左チャンネル（以下、Ｌｈチャンネルという。）及びサラウンドハイト右チャンネル（以下、Ｒｈチャンネルという。）に変更した７．１Ｈｅｉｇｈｔといわれるものがある。前述したＬｂチャンネル及びＲｂチャンネルは、通常、視聴者の後方の左右にそれぞれ配置したスピーカによって放音し、また、前述したＬｈチャンネル及びＲｈチャンネルは、通常、視聴者より高い位置に配置したスピーカによって放音を行う。
【０００４】
また、近年、前述した再生装置によって再生されたマルチチャンネル音声信号をチャンネル毎に増幅するＡＶサラウンドアンプ等の増幅装置が知られている。
【０００５】
前述したようなＢＤに記録された音声信号を再生する再生装置を増幅装置に出力する手段としては、ＨＤＭＩケーブルを用いて、再生装置から出力されたデジタル音声信号を増幅装置に出力する方法が行われている。ＨＤＭＩケーブルを用いて、再生装置が再生したデジタル音声信号を増幅装置に出力する方法としては、ＢＤに記録された圧縮音声信号を再生装置によって各チャンネルのＰＣＭ信号にデコードした後に、この各チャンネルのＰＣＭ信号をＨＤＭＩケーブルによって増幅装置に出力し、増幅装置によってこの各チャンネルのＰＣＭ信号をアナログ信号に変換しこのアナログ信号を増幅する方法と、ＢＤに記録された圧縮音声信号をそのままＨＤＭＩケーブルによって再生装置から増幅装置に出力し、増幅装置によってこの圧縮音声信号を各チャンネルのＰＣＭ信号にデコードし、この各チャンネルのＰＣＭ信号をアナログ信号に変換しこのアナログ信号を増幅する方法との２つの方法がある。
【０００６】
ＨＤＭＩケーブルによって再生装置と増幅装置を接続し、再生装置から圧縮音声信号を増幅装置に出力する場合は、圧縮音声信号のチャンネル構成の情報をＨＤＭＩケーブルを介して増幅装置に伝えることができるため、増幅装置は、再生装置から入力された圧縮音声信号が例えば、７．１Ｂａｃｋ用の圧縮音声信号であるか、また、７．１Ｈｅｉｇｈｔ用の圧縮音声信号であるかを認識することができる。このため、増幅装置は、再生装置からの圧縮音声信号の情報が７．１Ｂａｃｋ用の圧縮音声信号であるか、また、７．１Ｈｅｉｇｈｔ用の圧縮音声信号であるかに応じて、増幅した信号をデコードして各スピーカに出力する際の出力チャンネル先を７．１Ｂａｃｋ用のスピーカに振り分けるか、また、７．１Ｈｅｉｇｈｔ用のスピーカに振り分けるかを切り換えることができる。このため、再生装置から出力された圧縮音声信号が、７．１Ｂａｃｋ用の圧縮音声信号である場合、増幅装置は、圧縮音声信号をデコードすることによって抽出し、当該抽出した信号を増幅したサラウンド用の２チャンネルの信号をそれぞれＬｂチャンネル用のスピーカ及びＲｂチャンネル用のスピーカから出力されるように音声信号の出力先を切り換え、また、再生装置から出力された圧縮音声信号が、７．１Ｈｅｉｇｈｔである場合、増幅装置は、圧縮音声信号をデコードすることによって抽出し、当該抽出した信号を増幅したサラウンド用の２チャンネルの信号をそれぞれＬｈチャンネル用のスピーカ及びＲｈチャンネル用のスピーカから出力されるように音声信号の出力先を切り換えることができる。
【０００７】
しかし、ＨＤＭＩケーブルによって再生装置と増幅装置を接続し、圧縮音声信号を再生装置によってデコードしたＰＣＭ信号を増幅装置に出力する場合は、増幅装置は入力したＰＣＭ信号のチャンネル数の情報は取得できるが、詳細なチャンネル構成情報を取得することができない。このため、例えば、再生装置が７．１Ｈｅｉｇｈｔチャンネルの圧縮音声信号をデコード処理し、チャンネル数が８チャンネルとなったＰＣＭ信号を増幅装置に出力する場合、増幅装置は、再生装置から入力されたＰＣＭ信号が８チャンネルの構成であることは識別できるが、その８チャンネルの信号が７．１Ｂａｃｋ用の８チャンネルの信号なのか、または、７．１Ｈｅｉｇｈｔ用の８チャンネルの信号なのかを識別することができないため、再生装置側から入力されたサラウンド用のＰＣＭ信号がＬｂチャンネル及びＲｂチャンネルのＰＣＭ信号なのかＬｈチャンネル及びＲｈチャンネルのＰＣＭ信号なのかを認識することができない。このため、例えば、再生装置から増幅装置に入力したＬｈチャンネル及びＲｈチャンネルの信号を増幅装置がＬｂチャンネル及びＲｂチャンネルの信号と認識してしまい、このＬｈチャンネル及びＲｈチャンネルの信号がＬｂチャンネル用のスピーカ及びＲｂチャンネル用のスピーカから放音されてしまい、ＢＤコンテンツ製作者の意図通りのチャンネル出力が実現できずに、聴取者が良好なサラウンド音を聴取することができなくなってしまう虞がある。
【０００８】
このような、ＢＤ等の記録媒体に記録されたマルチチャンネル音声信号のチャンネル構成通りのチャンネル出力が実現できなくなることを防止するために、記録媒体に記録された圧縮音声信号をデコードした場合の各チャンネルの情報に応じて、各スピーカと接続された各音声出力端子への出力先を切り換えるオーディオ再生装置が知られている（例えば、特許文献１参照）。
【先行技術文献】
【特許文献】
【０００９】
【特許文献１】特開２００２一３６７２９０号公報
【発明の概要】
【発明が解決しようとする課題】
【００１０】
前述したような、ＢＤに記録された７．１Ｂａｃｋ用または７．１Ｈｅｉｇｈｔ用のマルチチャンネルの圧縮音声信号を再生装置によって再生し、再生した圧縮音声信号を増幅装置にＨＤＭＩケーブルによって伝達する場合において、サラウンドチャンネルの切り換え先が認識できなくなる問題を解決する手段として、特許文献１に開示された構成のように、チャンネル構成の情報を音声信号とは異なる別の伝達手段によって増幅装置側に伝達させるようにする構成が考えられる。しかし、再生装置と増幅装置がＨＤＭＩケーブルによって接続された状態では、ＨＤＭＩ規格により転送可能最大チャンネル数が８チャンネルであるため、７．１Ｂａｃｋ用及び７．１Ｈｅｉｇｈｔ用の８チャンネルのＰＣＭ信号をＨＤＭＩケーブルによって伝達させてしまうと、ＰＣＭ信号以外に伝達できる信号経路を確保することができないため、ＨＤＭＩケーブル以外にチャンネル構成の情報を伝達するための入出力ケーブル等の伝達手段が必要となってしまい、再生装置と増幅装置の接続ケーブルが増大し、ケーブルの配設が煩わしくなってしまう。また、ＨＤＭＩケーブル以外にチャンネル構成の情報を伝達するための入出力ケーブル等の伝達手段を備える構成にすると、チャンネル構成伝達用のケーブル等が必要になってしまい、再生装置及び増幅装置のコストが増加してしまう。
【００１１】
本発明は、記録媒体に記録されたマルチチャンネルの圧縮音声信号を再生しＰＣＭ信号を抽出する再生装置及び当該再生装置が抽出したＰＣＭ信号をＨＤＭＩケーブルを介して入力し当該入力したＰＣＭ信号をに増幅する増幅装置において、増幅装置が各スピーカに出力する際の出力チャンネルの切り換え先を正確に切り換えることができる再生装置及び増幅装置を提供することを目的とする。
【課題を解決するための手段】
【００１２】
本願の請求項１記載の発明は、光ディスクに記録された圧縮音声信号を再生する再生装置において、光ディスクに記録された圧縮音声信号をデコードして複数チャンネルのＰＣＭ信号を抽出し、光ディスクに記録された圧縮音声信号に含まれるチャンネル数の情報を含むチャンネル構成情報を取得するデコード処理部と、前記デコード処理部が抽出した複数チャンネルのＰＣＭ信号の内から特定の２種類のチャンネルのＰＣＭ信号と当該特定のチャンネルと異なる２種類のチャンネルのＰＣＭ信号によって新たな２種類のＰＣＭ信号を生成するミキシング処理部と、前記ミキシング処理部が生成した前記新たな２種類のＰＣＭ信号と前記デコード処理部が取得した前記チャンネル数の情報を出力する音声出力部とを備えることを特徴とする。
【００１３】
本願の請求項２記載の発明は、再生装置からＰＣＭ信号を入力し、当該ＰＣＭ信号をアナログ信号に変換した後、当該アナログ信号を増幅する増幅装置において、前記再生装置から前記再生装置が光ディスクから抽出した複数チャンネルのＰＣＭ信号の内から特定の２種類のチャンネルのＰＣＭ信号と当該特定のチャンネルと異なる２種類のチャンネルのＰＣＭ信号から生成した新たな２種類のＰＣＭ信号及び光ディスクに記録された圧縮音声信号に含まれるチャンネル数の情報を入力する音声入力部と、前記音声入力部が入力した前記新たな２種類のＰＣＭ信号から前記特定の２種類のチャンネルのＰＣＭ信号と前記特定のチャンネルと異なる２種類のチャンネルのＰＣＭ信号を抽出するチャンネル拡張部と、
前記チャンネル拡張部が抽出した前記特定の２種類のチャンネルのＰＣＭ信号と前記特定のチャンネルと異なる２種類のチャンネルのＰＣＭ信号をアナログ信号に変換するD／A変換部と、前記D／A変換部が変換したアナログ信号を出力する出力端子の出力先を切り換える出力チャンネルセレクタと、前記音声入力部が入力した前記チャンネル数の情報に基づいて、前記チャンネル拡張部による前記拡張及び前記出力チャンネルセレクタによる出力先の切り換えを制御するシステムコントローラ部とを備えることを特徴とする。
【００１４】
本願の請求項３記載の発明は、請求項１及び２記載の再生装置及び増幅装置において、前記再生装置の前記音声出力部と前記増幅装置の前記音声入力部はＨＤＭＩ接続コードによって接続されることを特徴とする。
【発明の効果】
【００１５】
本発明によれば、記録媒体に記録されたマルチチャンネルの圧縮音声信号を再生しＰＣＭ信号を抽出する再生装置及び当該再生装置が抽出したＰＣＭ信号をＨＤＭＩケーブルを介して入力し当該入力したＰＣＭ信号をに増幅する増幅装置において、増幅装置が各スピーカに出力する際の出力チャンネルの切り換え先を正確に切り換えることができる。
【図面の簡単な説明】
【００１６】
【図１】本発明の一実施例である再生装置及び増幅装置の構成を示すブロック図。
【図２】本実施例の再生装置１及び増幅装置１３において、７．１Ｂａｃｋ用の圧縮音声信号を再生する場合を示す説明図。
【図３】本実施例の再生装置１及び増幅装置１３において、７．１Ｈｅｉｇｈｔ用の圧縮音声信号を再生する場合を示す説明図。
【図４】本実施例の再生装置１及び増幅装置１３において、５．１チャンネル用の圧縮音声信号を再生する場合を示す説明図。
【発明を実施するための形態】
【００１７】
本発明の実施の形態を図面を参照して説明する。
【００１８】
図１は、本発明の一実施例である再生装置及び増幅装置の構成を示すブロック図である。
図１に示すように、再生装置１は、システムコントローラ部３、サーボ制御部４、ターンテーブル５、スピンドルモータ６、ピックアップ７、ＲＦアンプ８、信号処理部９、デコード処理部１０、ミキシング処理部１１及び音声出力部１２を備える。
【００１９】
また、増幅装置１３は、システムコントローラ部１４、音声入力部１５、チャンネル拡張部１６、D／A変換部１７ａ〜１７ｈ、アンプ１８ａ〜１８ｈ、出力チャンネルセレクタ１９ａ〜１９ｂ及び１２の出力端子を有する出力端子２０を備える。再生装置１と増幅装置１３は、ＨＤＭＩ接続コード２１によって接続されている。
【００２０】
システムコントローラ部３は、再生装置１の動作を統括的に制御する。スピンドルモータ６に固定されたターンテーブル５は、光ディスク２を装着する。サーボ制御部４は、スピンドルモータ６を所定の線速度で回転駆動させる制御をする。ピックアップ７は、図示しないレーザダイオード、対物レンズ等を備え、光ディスク２に所定波長のレーザ光を照射し、反射光を解析する。サーボ制御部４は、ピックアップ７からのレーザ光が光ディスク２のピット列に正しく追随し、ピット上に合焦するように、図示しないフォーカスサーボ回路とトラッキングサーボ回路を制御する。
【００２１】
ピックアップ７が読み取ったデジタルデータは、ＲＦアンプ８によって波形整形及び増幅される。信号処理部９は、ＲＦアンプ８により波形整形及び増幅されたデジタルデータが入力される。信号処理部９は、光ディスク２から読みとった圧縮音声信号の復調、フォーカスエラー信号やトラッキングエラー信号等のエラー信号、同期信号の抜き出し等を行い、光ディスク２に記録されている圧縮音声信号をデコード処理部１０に入力する。
【００２２】
デコード処理部１０は、システムコントローラ部３の制御により、圧縮音声信号をＰＣＭ信号にデコードする。また、デコード処理部１０は、圧縮音声信号に含まれるチャンネル構成情報を取得し、取得したチャンネル構成情報をシステムコントローラ３に通知する。デコード処理部１０は、圧縮音声信号のデコード処理によって、最大で８チャンネルのＰＣＭ信号を抽出する。
【００２３】
デコード処理部１０は、ミキシング処理部１１にＰＣＭ信号を出力するための８つの経路を備える。本実施例では、この８つの経路を経路Ｌ、経路C、経路Ｒ、経路Ｌs、経路Ｒs経路、経路ＬＦＥ、経路ＥｘｔＬ及び経路ＥｘｔＲとする。
【００２４】
デコード処理部１０は、デコードしたＰＣＭ信号にＬチャンネル、Cチャンネル、Ｒチャンネル、Ｌsチャンネル、Ｒsチャンネル及びＬＦＥチャンネルのＰＣＭ信号が含まれている場合、当該信号をそれぞれ経路Ｌ、経路C、経路Ｒ、経路Ｌs、経路Ｒs及び経路ＬＦＥに出力する。
【００２５】
また、デコード処理部１０は、デコードしたＰＣＭ信号にＬｂチャンネル及びＲｂチャンネルのＰＣＭ信号が含まれている場合、当該Ｌｂチャンネル及びＲｂチャンネルのＰＣＭ信号をそれぞれ経路ＥｘｔＬ及び経路ＥｘｔＲに出力する。また、デコード処理部１０は、デコードしたＰＣＭ信号にＬｈチャンネル及びＲｈチャンネルのＰＣＭ信号が含まれている場合も、当該Ｌｈチャンネル及びＲｈチャンネルのＰＣＭ信号をそれぞれ経路ＥｘｔＬ及び経路ＥｘｔＲに出力する。
【００２６】
ミキシング処理部１１は、デコード処理部１０と経路Ｌ、経路C、経路Ｒ、経路Ｌs、経路Ｒs経路、経路ＬＦＥ、経路ＥｘｔＬ及び経路ＥｘｔＲの８つの経路により接続され、これらの経路Ｌ、経路C、経路Ｒ、経路Ｌs、経路Ｒs経路、経路ＬＦＥ、経路ＥｘｔＬ及び経路ＥｘｔＲを介してデコード処理部１０から入力されたＰＣＭ信号を入力する。
【００２７】
ミキシング処理部１１は、デコード処理部１０とミキシング処理部１１との接続と同様に、音声出力部１２にＰＣＭ信号を出力するための経路Ｌ、経路C、経路Ｒ、経路Ｌs、経路Ｒs経路、経路ＬＦＥ、経路ＥｘｔＬ及び経路ＥｘｔＲの８つの経路を備える。
【００２８】
ミキシング処理部１１は、システムコントローラ部３の制御に基づいて、デコード処理部１０から出力されたＬチャンネル、Cチャンネル、Ｒチャンネル、及びＬＦＥチャンネルのＰＣＭ信号を、それぞれ経路Ｌ、経路C、経路Ｒ及び経路ＬＦＥを介して音声出力部１２に出力する。
【００２９】
ミキシング処理部１１は、システムコントローラ部３の制御に基づいて、デコード処理部１０から経路ＥｘｔＬ及び経路ＥｘｔＲを介してＬｂチャンネル及びＲｂチャンネルのＰＣＭ信号が出力された場合、このＬｂチャンネル及びＲｂチャンネルのＰＣＭ信号を経路ＥｘｔＬ及び経路ＥｘｔＲを介して音声出力部１２に出力する。
【００３０】
ミキシング処理部１１は、システムコントローラ部３の制御に基づいて、デコード処理部１０から経路Ｌｓ及び経路Ｒｓを介してＬsチャンネル、ＲsチャンネルのＰＣＭ信号が出力され、かつ、経路ＥｘｔＬ及び経路ＥｘｔＲを介してＬｈチャンネル及びＲｈチャンネルのＰＣＭ信号が出力されない場合、このＬsチャンネル、ＲsチャンネルのＰＣＭ信号を経路Ｌｓ及び経路Ｒｓを介して音声出力部１２に出力する。
【００３１】
また、ミキシング処理部１１は、システムコントローラ部３の制御に基づいて、デコード処理部１０から経路Ｌｓ及び経路Ｒｓを介してＬsチャンネル、ＲsチャンネルのＰＣＭ信号が出力され、かつ、経路ＥｘｔＬ及び経路ＥｘｔＲを介してＬｈチャンネル及びＲｈチャンネルのＰＣＭ信号が出力された場合、前述したＬsチャンネル及びＲsチャンネルのＰＣＭ信号にそれぞれＬｈチャンネル及びＲｈチャンネルの信号及びＬｈチャンネル及びＲｈチャンネルの逆相の信号が以下のとおり足し込まれ、Ｌｓ’チャンネル及びＲｓ’チャンネルのＰＣＭ信号を生成する。
Ｌｓ'  ＝  Ｌｓ  −  a*Ｌｈ  −  ｂ*Ｒｈ
Ｒｓ'  ＝  Ｒｓ  ＋  c*Ｌｈ  ＋  d*Ｒｈ
（ａ、ｂ、ｃ、ｄは正の任意の定数とする。）
【００３２】
ミキシング処理部１１は、生成したＬｓ’チャンネル及びＲｓ’チャンネルのＰＣＭ信号を経路Ｌｓ及び経路Ｒｓを介して音声出力部１２に出力する。
【００３３】
音声出力部１２は、ミキシング処理部１１から経路Ｌ、経路C、経路Ｒ、経路Ｌs、経路Ｒs、経路ＬＦＥ、経路ＥｘｔＬ及び経路ＥｘｔＲを介して出力された各ＰＣＭ信号を、ＨＤＭＩ規格に従ってＨＤＭＩ接続コード２１によって増幅装置１３に出力する。また、音声出力部１２は、ＨＤＭＩ規格に従い、転送音声信号のチャンネル数に関する情報もＨＤＭＩ接続コード２１によって増幅装置１３に出力する。
【００３４】
システムコントローラ１４は、増幅装置１３の動作を統括的に制御する。音声入力部１５は、ＨＤＭＩ規格に従ってＨＤＭＩ接続コード２１を介して再生装置１から出力されたＰＣＭ信号を読み取る。また、音声入力部１５はＨＤＭＩ規格に従い、再生装置１から出力された転送音声信号のチャンネル数に関する情報を読み取り、読み取ったチャンネル数に関する情報をシステムコントローラ１４に通知する。
【００３５】
音声入力部１５は、チャンネル拡張部１６にＰＣＭ信号を出力するための８つの経路を備える。本実施例では、この８つの経路を経路Ｌ、経路C、経路Ｒ、経路Ｌs、経路Ｒs、経路ＬＦＥ、経路ＥｘｔＬ及び経路ＥｘｔＲとする。
【００３６】
音声入力部１５は、読み取ったＰＣＭ信号にＬチャンネル、Cチャンネル、Ｒチャンネル、ＬＦＥチャンネル、Ｌｂチャンネル及びＲｂチャンネルのＰＣＭ信号が含まれている場合、当該信号をそれぞれ経路Ｌ、経路C、経路Ｒ、経路ＬＦＥ、経路ＥｘｔＬ及び経路ＥｘｔＲに出力する。
【００３７】
音声入力部１５は、読み取ったＰＣＭ信号にＬsチャンネル及びＲsチャンネルのＰＣＭ信号又はＬs’チャンネル及びＲs’チャンネルのＰＣＭ信号が含まれている場合、当該信号をそれぞれ経路Ｌs及び経路Ｒsに出力する。
【００３８】
チャンネル拡張部１６は、音声入力部１５と経路Ｌ、経路C、経路Ｒ、経路Ｌs、経路Ｒs経路、経路ＬＦＥ、経路ＥｘｔＬ及び経路ＥｘｔＲの８つの経路により接続され、これらの経路Ｌ、経路C、経路Ｒ、経路Ｌs、経路Ｒs経路、経路ＬＦＥ、経路ＥｘｔＬ及び経路ＥｘｔＲを介して音声入力部１５から入力されたＰＣＭ信号を入力する。
【００３９】
チャンネル拡張部１６は、音声入力部１５とチャンネル拡張部１６との接続と同様に、D／A変換部１７ａ〜１７ｈにＰＣＭ信号を出力するための経路Ｌ、経路C、経路Ｒ、経路Ｌs、経路Ｒs経路、経路ＬＦＥ、経路ＥｘｔＬ及び経路ＥｘｔＲの８つの経路を備える。
【００４０】
システムコントローラ部１４は、音声入力部１５を介して再生装置１から通知された転送音声信号のチャンネル数に関する情報が８チャンネルの情報であった場合、音声入力部１５から出力されたＬチャンネル、Cチャンネル、Ｒチャンネル、Ｌｓチャンネル、Ｒｓチャンネル、ＬＦＥチャンネル、Ｌｂチャンネル及びＲｂチャンネルのＰＣＭ信号を、経路Ｌ、経路C、経路Ｒ、経路Ｌｓ，経路Ｒｓ、経路ＬＦＥ、経路ＥｘｔＬ及び経路ＥｘｔＲを介してそれぞれ割り当てられたD／A変換部１７に出力するようチャンネル拡張部１６を制御する。
【００４１】
また、システムコントローラ部１４は、音声入力部１５を介して再生装置１から通知された転送音声信号のチャンネル数に関する情報が８チャンネル以外の情報であった場合、音声入力部１５から出力されたＬチャンネル、Cチャンネル、Ｒチャンネル、ＬＦＥチャンネルのＰＣＭ信号を、経路Ｌ、経路C、経路Ｒ及び経路ＬＦＥを介してそれぞれ割り当てられたD／A変換部１７に出力するようチャンネル拡張部１６を制御すると共に、前述した再生装置１のミキシング処理部１１がＬｓチャンネル、Ｒｓチャンネル、Ｌｈチャンネル及びＲｈチャンネルの信号からＬｓ’チャンネル及びＲｓ’の信号を生成したときと逆の手法を用いて、音声入力部１５から出力されたＬs’チャンネル及びＲs’チャンネルのＰＣＭ信号からＬsチャンネル、Ｒsチャンネル、Ｌｈチャンネル及びＲｈチャンネルのＰＣＭ信号を抽出し、抽出したＬｓチャンネル、Ｒｓチャンネル、Ｌｈチャンネル及びＲｈチャンネルのＰＣＭ信号を、経路Ｌｓ、経路Ｒｓ、経路ＥｘｔＬ及び経路ＥｘｔＲを介してそれぞれ割り当てられたD／A変換部１７に出力するようチャンネル拡張部１６を制御する。
【００４２】
D／A変換部１７ａ〜１７ｈは、それぞれ入力されたＰＣＭ信号をアナログ信号に変換し、変換したアナログ信号をそれぞれアンプ１８ａ〜１８ｈに出力する。アンプ１８ａ〜１８ｈは、それぞれ入力されたアナログ信号を増幅する。アンプ１８ａ〜１８ｆは、増幅したアナログ信号をそれぞれＬチャンネル〜ＬＦＥチャンネルを示す出力端子に出力する。アンプ１８ｇ及び１８ｈは、増幅したアナログ信号をそれぞれ出力チャンネルセレクタ１９ａ及び１９ｂに出力する。
【００４３】
出力チャンネルセレクタ１９ａは、システムコントローラ部１４の制御に基づいて、アンプ１８ｇから出力されたアナログ信号をＬｂチャンネルを示す出力端子に出力するか、または、Ｌｈチャンネルを示す出力端子に出力するかを切り換える。また、出力チャンネルセレクタ１９ｂは、システムコントローラ部１４の制御に基づいて、アンプ１８ｈから出力されたアナログ信号をＲｂチャンネルを示す出力端子に出力するか、または、Ｒｈチャンネルを示す出力端子に出力するかを切り換える。
【００４４】
システムコントローラ部１４は、音声入力部１５を介して再生装置１から通知された転送音声信号のチャンネル数に関する情報が８チャンネルの情報であった場合、出力チャンネルセレクタ１９ａによるアナログ信号の出力先をＬｂチャンネルを示す出力端子とするよう制御すると共に、出力チャンネルセレクタ１９ｂによるアナログ信号の出力先をＲｂチャンネルを示す出力端子とするよう制御する。
【００４５】
システムコントローラ部１４は、音声入力部１５を介して再生装置１から通知された転送音声信号のチャンネル数に関する情報が８チャンネル以外の情報であった場合、出力チャンネルセレクタ１９ａによるアナログ信号の出力先をＬｈチャンネルを示す出力端子とするよう制御すると共に、出力チャンネルセレクタ１９ｂによるアナログ信号の出力先をＲｈチャンネルを示す出力端子とするよう制御する。
【００４６】
次に、本実施例の再生装置１及び増幅装置１３により光ディスク２を再生した場合の動作について説明する。
【００４７】
先ず、光ディスク２に記録された圧縮音声信号のチャンネル構成情報が７．１Ｂａｃｋ(Ｌ／C／Ｒ／Ｌs／Ｒs／ＬＦＥ／Ｌｂ／Ｒｂチャンネルの合計８チャンネルを有するチャンネル構成)の場合の動作について説明する。
図２は、本実施例の再生装置１及び増幅装置１３において、７．１Ｂａｃｋ用の圧縮音声信号を再生する場合を示す説明図である。
【００４８】
図１に示すように、再生装置１は、ターンテーブル５に再生装置１が装着されると、ピックアップ７が光ディスク２に記録された圧縮音声信号を読み取り、読み取った圧縮音声信号をＲＦアンプ８及び信号処理部９を介してデコード処理部１０に出力する。
【００４９】
デコード処理部１０は、信号処理部９から出力された圧縮音声信号をデコードし、Ｌチャンネル、Cチャンネル、Ｒチャンネル、Ｌsチャンネル、Ｒsチャンネル、Ｌｂチャンネル、Ｒｂチャンネル及びＬＦＥチャンネルのＰＣＭ信号を抽出する。
【００５０】
デコード処理部１０は、デコードしたＬチャンネル、Cチャンネル、Ｒチャンネル、Ｌsチャンネル、Ｒsチャンネル、Ｌｂチャンネル、Ｒｂチャンネル及びＬＦＥチャンネルのＰＣＭ信号をそれぞれ経路Ｌ、経路C、経路Ｒ、経路Ｌs、経路Ｒs、経路ＥｘｔＬ、経路ＥｘｔＲ及び経路ＬＦＥを介してミキシング処理部１１に出力する。
【００５１】
ミキシング処理部１１は、システムコントローラ部３の制御に基づいて、デコード処理部１０から出力されたＬチャンネル、Cチャンネル、Ｒチャンネル、Ｌsチャンネル、Ｒsチャンネル、Ｌｂチャンネル、Ｒｂチャンネル及びＬＦＥチャンネルのＰＣＭ信号を、それぞれ経路Ｌ、経路C、経路Ｒ、経路Ｌｓ及び経路Ｒｓ、経路ＥｘｔＬ及び経路ＥｘｔＲ及び経路ＬＦＥを介して音声出力部１２に出力する。
【００５２】
音声出力部１２は、ミキシング処理部１１から経路Ｌ、経路C、経路Ｒ、経路Ｌs、経路Ｒs、経路ＬＦＥ、経路ＥｘｔＬ及び経路ＥｘｔＲを介して出力された各ＰＣＭ信号を、ＨＤＭＩ規格に従ってＨＤＭＩ接続コード２１によって増幅装置１３に出力する。また、音声出力部１２は、ＨＤＭＩ規格に従い、転送音声信号のチャンネル数が８チャンネルであるという情報をＨＤＭＩ接続コード２１によって増幅装置１３に出力する。
【００５３】
音声入力部１５は、ＨＤＭＩ規格に従ってＨＤＭＩ接続コード２１を介して再生装置１から出力されたＰＣＭ信号を読み取る。また、音声入力部１５はＨＤＭＩ規格に従い、再生装置１から出力された転送音声信号のチャンネル数が８チャンネルであるという情報を読み取り、読み取ったチャンネル数が８チャンネルであるという情報をシステムコントローラ１４に通知する。
【００５４】
音声入力部１５は、読み取ったＬチャンネル、Cチャンネル、Ｒチャンネル、Ｌsチャンネル、Ｒsチャンネル、Ｌｂチャンネル、Ｒｂチャンネル及びＬＦＥチャンネルのＰＣＭ信号をそれぞれ経路Ｌ、経路C、経路Ｒ、経路Ｌs、経路Ｒs、経路ＥｘｔＬ、経路ＥｘｔＲ及び経路ＬＦＥを介してチャンネル拡張部１６に出力する
【００５５】
システムコントローラ部１４は、音声入力部１５を介して再生装置１から通知された転送音声信号のチャンネル数に関する情報が８チャンネルの情報であることから、音声入力部１５から出力されたＬチャンネル、Cチャンネル、Ｒチャンネル、Ｌｓチャンネル、Ｒｓチャンネル、ＬＦＥチャンネル、Ｌｂチャンネル及びＲｂチャンネルのＰＣＭ信号を、経路Ｌ、経路C、経路Ｒ、経路Ｌｓ，経路Ｒｓ、経路ＬＦＥ、経路ＥｘｔＬ及び経路ＥｘｔＲを介してそれぞれ割り当てられたD／A変換部１７ａ〜１７ｈに出力するようチャンネル拡張部１６を制御する。
【００５６】
D／A変換部１７ａ〜１７ｈは、それぞれ入力されたＰＣＭ信号をアナログ信号に変換し、変換したアナログ信号をそれぞれアンプ１８ａ〜１８ｈに出力する。アンプ１８ａ〜１８ｆは、増幅したアナログ信号をそれぞれＬチャンネル〜ＬＦＥチャンネルを示す出力端子に出力する。アンプ１８ｇ及び１８ｈは、増幅したアナログ信号をそれぞれ出力チャンネルセレクタ１９ａ及び１９ｂに出力する。
【００５７】
システムコントローラ部１４は、音声入力部１５を介して再生装置１から通知された転送音声信号のチャンネル数に関する情報が８チャンネルの情報であることから、出力チャンネルセレクタ１９ａによるアナログ信号の出力先をＬｂチャンネルを示す出力端子とするよう制御すると共に、出力チャンネルセレクタ１９ｂによるアナログ信号の出力先をＲｂチャンネルを示す出力端子とするよう制御する。
【００５８】
このように、本実施例の再生装置１及び増幅装置１３は、光ディスク２に記録された圧縮音声信号のチャンネル構成情報が７．１Ｂａｃｋの場合、増幅装置が各スピーカに出力する際の出力チャンネルの切り換え先をチャンネル構成通りに正確に切り換えることができる。
【００５９】
次に、光ディスク２に記録された圧縮音声信号のチャンネル構成情報が７．１Ｈｉｇｈｔ(Ｌ／C／Ｒ／Ｌs／Ｒs／ＬＦＥ／Ｌｈ／Ｒｈチャンネルの合計８チャンネルを有するチャンネル構成)の場合の動作について説明する。
図３は、本実施例の再生装置１及び増幅装置１３において、７．１Ｈｉｇｈｔ用の圧縮音声信号を再生する場合を示す説明図である。
【００６０】
図１に示すように、再生装置１は、ターンテーブル５に再生装置１が装着されると、ピックアップ７が光ディスク２に記録された圧縮音声信号を読み取り、読み取った圧縮音声信号をＲＦアンプ８及び信号処理部９を介してデコード処理部１０に出力する。
【００６１】
デコード処理部１０は、信号処理部９から出力された圧縮音声信号をデコードし、Ｌチャンネル、Cチャンネル、Ｒチャンネル、Ｌsチャンネル、Ｒsチャンネル、Ｌｈチャンネル、Ｒｈチャンネル及びＬＦＥチャンネルのＰＣＭ信号を抽出する。
【００６２】
デコード処理部１０は、デコードしたＬチャンネル、Cチャンネル、Ｒチャンネル、Ｌsチャンネル、Ｒsチャンネル、Ｌｈチャンネル、Ｒｈチャンネル及びＬＦＥチャンネルのＰＣＭ信号をそれぞれ経路Ｌ、経路C、経路Ｒ、経路Ｌs、経路Ｒs、経路ＥｘｔＬ、経路ＥｘｔＲ及び経路ＬＦＥを介してミキシング処理部１１に出力する。
【００６３】
ミキシング処理部１１は、システムコントローラ部３の制御に基づいて、デコード処理部１０から経路Ｌｓ及び経路Ｒｓを介してＬsチャンネル、ＲsチャンネルのＰＣＭ信号が出力され、かつ、経路ＥｘｔＬ及び経路ＥｘｔＲを介してＬｈチャンネル及びＲｈチャンネルのＰＣＭ信号が出力されると、前述したように、Ｌsチャンネル、Ｒsチャンネル、Ｌｈチャンネル及びＲｈチャンネルのＰＣＭ信号からＬｓ’チャンネル及びＲｓ’チャンネルのＰＣＭ信号を生成する。
【００６４】
ミキシング処理部１１は、システムコントローラ部３の制御に基づいて、デコード処理部１０から出力されたＬチャンネル、Cチャンネル、Ｒチャンネル、及びＬＦＥチャンネルのＰＣＭ信号を、それぞれ経路Ｌ、経路C、経路Ｒ及び経路ＬＦＥを介して音声出力部１２に出力すると共に、生成したＬｓ’チャンネル及びＲｓ’チャンネルのＰＣＭ信号を経路Ｌｓ及び経路Ｒｓを介して音声出力部１２に出力する。
【００６５】
音声出力部１２は、ミキシング処理部１１から経路Ｌ、経路C、経路Ｒ、経路Ｌs、経路Ｒs及び経路ＬＦＥを介して出力された各ＰＣＭ信号を、ＨＤＭＩ規格に従ってＨＤＭＩ接続コード２１によって増幅装置１３に出力する。また、音声出力部１２は、ＨＤＭＩ規格に従い、転送音声信号のチャンネル数が６チャンネルであるという情報をＨＤＭＩ接続コード２１によって増幅装置１３に出力する。
【００６６】
音声入力部１５は、ＨＤＭＩ規格に従ってＨＤＭＩ接続コード２１を介して再生装置１から出力されたＰＣＭ信号を読み取る。また、音声入力部１５はＨＤＭＩ規格に従い、再生装置１から出力された転送音声信号のチャンネル数が６チャンネルであるという情報を読み取り、読み取ったチャンネル数が６チャンネルであるという情報をシステムコントローラ１４に通知する。
【００６７】
音声入力部１５は、読み取ったＬチャンネル、Cチャンネル、Ｒチャンネル、Ｌs’チャンネル、Ｒs’チャンネル及びＬＦＥチャンネルのＰＣＭ信号をそれぞれ経路Ｌ、経路C、経路Ｒ、経路Ｌs、経路Ｒs及び経路ＬＦＥを介してチャンネル拡張部１６に出力する
【００６８】
システムコントローラ部１４は、音声入力部１５を介して再生装置１から通知された転送音声信号のチャンネル数に関する情報が６チャンネルの情報、すなわち８チャンネル以外の情報であることから、音声入力部１５から出力されたＬチャンネル、Cチャンネル、Ｒチャンネル、ＬＦＥチャンネルのＰＣＭ信号を、経路Ｌ、経路C、経路Ｒ及び経路ＬＦＥを介してそれぞれ割り当てられたD／A変換部１７に出力するようチャンネル拡張部１６を制御すると共に、音声入力部１５から出力されたＬs’チャンネル及びＲs’チャンネルのＰＣＭ信号を前述した再生装置１のミキシング処理部１１によってＬｓチャンネル、Ｒｓチャンネル、Ｌｈチャンネル及びＲｈチャンネルの信号からＬｓ’チャンネル及びＲｓ’の信号を生成したときと逆の手法を用いて、Ｌs’チャンネル及びＲs’チャンネルのＰＣＭ信号からＬsチャンネル、Ｒsチャンネル、Ｌｈチャンネル及びＲｈチャンネルのＰＣＭ信号を抽出し、抽出したＬｓチャンネル、Ｒｓチャンネル、Ｌｈチャンネル及びＲｈチャンネルのＰＣＭ信号を、経路Ｌｓ、経路Ｒｓ、経路ＥｘｔＬ及び経路ＥｘｔＲを介してそれぞれ割り当てられたD／A変換部１７ａ〜１７ｈに出力するようチャンネル拡張部１６を制御する。
【００６９】
D／A変換部１７ａ〜１７ｈは、それぞれ入力されたＰＣＭ信号をアナログ信号に変換し、変換したアナログ信号をそれぞれアンプ１８ａ〜１８ｈに出力する。アンプ１８ａ〜１８ｆは、増幅したアナログ信号をそれぞれＬチャンネル〜ＬＦＥチャンネルを示す出力端子に出力する。アンプ１８ｇ及び１８ｈは、増幅したアナログ信号をそれぞれ出力チャンネルセレクタ１９ａ及び１９ｂに出力する。
【００７０】
システムコントローラ部１４は、音声入力部１５を介して再生装置１から通知された転送音声信号のチャンネル数に関する情報が６チャンネルの情報、すなわち８チャンネル以外の情報であることから、出力チャンネルセレクタ１９ａによるアナログ信号の出力先をＬｈチャンネルを示す出力端子とするよう制御すると共に、出力チャンネルセレクタ１９ｂによるアナログ信号の出力先をＲｈチャンネルを示す出力端子とするよう制御する。
【００７１】
このように、本実施例の再生装置１及び増幅装置１３は、光ディスク２に記録された圧縮音声信号のチャンネル構成情報が７．１Ｈｉｇｈｔの場合、増幅装置が各スピーカに出力する際の出力チャンネルの切り換え先をチャンネル構成通りに正確に切り換えることができる。
【００７２】
次に、光ディスク２に記録された圧縮音声信号のチャンネル構成情報が５．１チャンネル(Ｌ／C／Ｒ／Ｌs／Ｒs／ＬＦＥチャンネルの合計６チャンネルを有するチャンネル構成)の場合の動作について説明する。
図４は、本実施例の再生装置１及び増幅装置１３において、５．１チャンネル用の圧縮音声信号を再生する場合を示す説明図である。
【００７３】
図１に示すように、再生装置１は、ターンテーブル５に再生装置１が装着されると、ピックアップ７が光ディスク２に記録された圧縮音声信号を読み取り、読み取った圧縮音声信号をＲＦアンプ８及び信号処理部９を介してデコード処理部１０に出力する。
【００７４】
デコード処理部１０は、信号処理部９から出力された圧縮音声信号をデコードし、Ｌチャンネル、Cチャンネル、Ｒチャンネル、Ｌsチャンネル、Ｒsチャンネル及びＬＦＥチャンネルのＰＣＭ信号を抽出する。
【００７５】
デコード処理部１０は、デコードしたＬチャンネル、Cチャンネル、Ｒチャンネル、Ｌsチャンネル、Ｒsチャンネル及びＬＦＥチャンネルのＰＣＭ信号をそれぞれ経路Ｌ、経路C、経路Ｒ、経路Ｌs、経路Ｒs及び経路ＬＦＥを介してミキシング処理部１１に出力する。
【００７６】
ミキシング処理部１１は、システムコントローラ部３の制御に基づいて、デコード処理部１０から経路Ｌｓ及び経路Ｒｓを介してＬsチャンネル、ＲsチャンネルのＰＣＭ信号が出力され、かつ、経路ＥｘｔＬ及び経路ＥｘｔＲを介してＬｈチャンネル及びＲｈチャンネルのＰＣＭ信号が出力されないことから、デコード処理部１０から出力されたＬチャンネル、Cチャンネル、Ｒチャンネル、及びＬＦＥチャンネルのＰＣＭ信号を、それぞれ経路Ｌ、経路C、経路Ｒ及び経路ＬＦＥを介して音声出力部１２に出力すると共に、デコード処理部１０から出力されたＬsチャンネル、ＲsチャンネルのＰＣＭ信号を経路Ｌｓ及び経路Ｒｓを介して音声出力部１２に出力する。
【００７７】
音声出力部１２は、ミキシング処理部１１から経路Ｌ、経路C、経路Ｒ、経路Ｌs、経路Ｒs及び経路ＬＦＥを介して出力された各ＰＣＭ信号を、ＨＤＭＩ規格に従ってＨＤＭＩ接続コード２１によって増幅装置１３に出力する。また、音声出力部１２は、ＨＤＭＩ規格に従い、転送音声信号のチャンネル数が６チャンネルであるという情報をＨＤＭＩ接続コード２１によって増幅装置１３に出力する。
【００７８】
音声入力部１５は、ＨＤＭＩ規格に従ってＨＤＭＩ接続コード２１を介して再生装置１から出力されたＰＣＭ信号を読み取る。また、音声入力部１５はＨＤＭＩ規格に従い、再生装置１から出力された転送音声信号のチャンネル数が６チャンネルであるという情報を読み取り、読み取ったチャンネル数が６チャンネルであるという情報をシステムコントローラ１４に通知する。
【００７９】
音声入力部１５は、読み取ったＬチャンネル、Cチャンネル、Ｒチャンネル、Ｌsチャンネル、Ｒsチャンネル及びＬＦＥチャンネルのＰＣＭ信号をそれぞれ経路Ｌ、経路C、経路Ｒ、経路Ｌs、経路Ｒs及び経路ＬＦＥを介してチャンネル拡張部１６に出力する
【００８０】
システムコントローラ部１４は、音声入力部１５を介して再生装置１から通知された転送音声信号のチャンネル数に関する情報が６チャンネルの情報、すなわち８チャンネル以外の情報であることから、音声入力部１５から出力されたＬチャンネル、Cチャンネル、Ｒチャンネル、ＬＦＥチャンネルのＰＣＭ信号を、経路Ｌ、経路C、経路Ｒ及び経路ＬＦＥを介してそれぞれ割り当てられたD／A変換部１７に出力するようチャンネル拡張部１６を制御すると共に、音声入力部１５から出力されたＬsチャンネル及びＲsチャンネルのＰＣＭ信号を経路Ｌｓ及び経路Ｒｓを介してそれぞれ割り当てられたD／A変換部１７ｄ及び１７ｅに出力するようチャンネル拡張部１６を制御する。
【００８１】
なお、本実施例の場合、再生装置１から通知された転送音声信号のチャンネル数に関する情報が６チャンネルの情報、すなわち８チャンネル以外の情報であることから、システムコントローラ部１４は、音声入力部１５から出力されたＰＣＭ信号が、前述したＬｓ’チャンネル及びＲｓ’チャンネルのＰＣＭ信号なのか、または、Ｌsチャンネル及びＲsチャンネルのＰＣＭ信号なのかを識別することができないが、システムコントローラ部１４は、Ｌｓ’チャンネル及びＲｓ’チャンネルのＰＣＭ信号なのか否かに係らず、前述した再生装置１のミキシング処理部１１によってＬｓチャンネル、Ｒｓチャンネル、Ｌｈチャンネル及びＲｈチャンネルの信号からＬｓ’チャンネル及びＲｓ’の信号を生成したときと逆の手法を用いて、音声入力部１５から出力されたＰＣＭ信号からＬsチャンネル、Ｒsチャンネル、Ｌｈチャンネル及びＲｈチャンネルのＰＣＭ信号を抽出する処理を行う。
【００８２】
この処理によって、音声入力部１５から出力されたＰＣＭ信号がＬｓ’チャンネル及びＲｓ’チャンネルのＰＣＭ信号である場合は、前述したようにＬs’チャンネル及びＲs’チャンネルのＰＣＭ信号からＬsチャンネル、Ｒsチャンネル、Ｌｈチャンネル及びＲｈチャンネルのＰＣＭ信号に拡張されるが、音声入力部１５から出力されたＰＣＭ信号がＬｓチャンネル及びＲｓチャンネルのＰＣＭ信号である場合は、Ｌｓ’チャンネル及びＲｓ’チャンネルを処理する場合と同様の処理を行っても、Ｌsチャンネル及びＲsチャンネルのＰＣＭ信号のみが抽出され、Ｌｈチャンネル及びＲｈチャンネルのＰＣＭ信号は抽出されないことから、チャンネル拡張部１６からは、Ｌsチャンネル及びＲsチャンネルのＰＣＭ信号が経路Ｌｓ及び経路Ｒｓを介してそれぞれ割り当てられたD／A変換部１７ｄ及び１７ｅに出力され、Ｌｈチャンネル及びＲｈチャンネルのＰＣＭ信号は出力されない。
【００８３】
D／A変換部１７ａ〜１７ｈは、それぞれ入力されたＰＣＭ信号をアナログ信号に変換し、変換したアナログ信号をそれぞれアンプ１８ａ〜１８ｈに出力する。なお、本実施例の場合は、Ｌｈチャンネル及びＲｈチャンネルのＰＣＭ信号は出力されないので、アンプ１８ｇ及び１８ｈにはアナログ信号は出力されない。
【００８４】
アンプ１８ａ〜１８ｆは、増幅したアナログ信号をそれぞれＬチャンネル〜ＬＦＥチャンネルを示す出力端子に出力する。
【００８５】
システムコントローラ部１４は、音声入力部１５を介して再生装置１から通知された転送音声信号のチャンネル数に関する情報が６チャンネルの情報、すなわち８チャンネル以外の情報であることから、出力チャンネルセレクタ１９ａによるアナログ信号の出力先をＬｈチャンネルを示す出力端子とするよう制御すると共に、出力チャンネルセレクタ１９ｂによるアナログ信号の出力先をＲｈチャンネルを示す出力端子とするよう制御する。なお、本実施例の場合は、Ｌｈチャンネル及びＲｈチャンネルのＰＣＭ信号は出力されないので、出力チャンネルセレクタ１９ａによるアナログ信号の出力先がＬｈチャンネルを示す出力端子となり、また、出力チャンネルセレクタ１９ｂによるアナログ信号の出力先がＲｈチャンネルを示す出力端子となっても、Ｌｈチャンネルを示す出力端子及びＲｈチャンネルを示す出力端子から信号は出力されない。
【００８６】
このように、本実施例の再生装置１及び増幅装置１３は、光ディスク２に記録された圧縮音声信号のチャンネル構成情報が合計６チャンネルのチャンネル構成、つまり、５．１チャンネルの場合、増幅装置が各スピーカに出力する際の出力チャンネルの切り換え先をチャンネル構成通りに正確に切り換えることができる。
【００８７】
以上のように、本実施例の再生装置１及び増幅装置１３は、光ディスク２に記録されている圧縮音声信号のチャンネル構成が７．１Ｂａｃｋであり、光ディスク２に記録されている圧縮音声信号からＬｂチャンネル及びＲｂチャンネルの信号が抽出された場合は、再生装置１側において、Ｌｂチャンネル及びＲｂチャンネルの信号をそれぞれ経路ＥｘｔＬ及び経路ＥｘｔＲに割り当ててＨＤＭＩ接続コード２１によって増幅装置１３に出力し、増幅装置１３側において、この経路ＥｘｔＬ及び経路ＥｘｔＲに割り当てられた信号をＬｂチャンネル及びＲｂチャンネルの信号として扱うことから、それぞれのチャンネルにおける出力チャンネルの切り換え先を正確にすることができる。
【００８８】
また、本実施例の再生装置１及び増幅装置１３は、光ディスク２に記録されている圧縮音声信号のチャンネル構成が７．１Ｈｅｉｇｈｔであり、光ディスク２に記録されている圧縮音声信号からＬｈチャンネル及びＲｈチャンネルの信号が抽出された場合は、再生装置１側において、Ｌsチャンネル、Ｒsチャンネル、Ｌｈチャンネル及びＲｈチャンネルの信号からＬｓ’チャンネル及びＲｓ’チャンネルの信号を生成し、増幅装置１３側において、このＬｓ’チャンネル及びＲｓ’チャンネルの信号を拡張してＬsチャンネル、Ｒsチャンネル、Ｌｈチャンネル及びＲｈチャンネルの信号を抽出し、抽出したＬsチャンネル、Ｒsチャンネル、Ｌｈチャンネル及びＲｈチャンネルの信号をそれぞれ正しい出力端子２０に出力することから、それぞれのチャンネルにおける出力チャンネルの切り換え先を正確にすることができる。
【００８９】
また、本実施例の再生装置１及び増幅装置１３は、光ディスク２に記録されている圧縮音声信号のチャンネル構成が５．１チャンネルである場合は、再生装置１側において、Ｌsチャンネル及びＲsチャンネルの信号からＬｓ’チャンネル及びＲｓ’チャンネルの信号を生成し、増幅装置１３側において、このＬｓ’チャンネル及びＲｓ’チャンネルの信号を拡張してＬsチャンネル、Ｒsチャンネル、Ｌｈチャンネル及びＲｈチャンネルの信号を抽出し、抽出したＬsチャンネル、Ｒsチャンネル、Ｌｈチャンネル及びＲｈチャンネルの信号をそれぞれ正しい出力端子２０に出力する処理を行うが、増幅装置１３側においてＬｓ’チャンネル及びＲｓ’チャンネルの信号を拡張してもＬｈチャンネル及びＲｈチャンネルの信号は生成されずに、Ｌｈチャンネルを示す出力端子及びＲｈチャンネルを示す出力端子から信号は出力されないことから、それぞれのチャンネルにおける出力チャンネルの切り換え先を正確にすることができる。
【００９０】
以上により、本実施例の再生装置１及び増幅装置１３は、光ディスク２に記録された圧縮音声信号のチャンネル構成情報が７．１Ｂａｃｋの場合、７．１Ｈｉｇｈｔの場合または５．１チャンネルの場合のいずれの場合であっても、増幅装置が各スピーカに出力する際の出力チャンネルの切り換え先をチャンネル構成通りに正確に切り換えることができる。
【００９１】
このため、本実施例の再生装置１及び増幅装置１３は、ＨＤＭＩ接続コード２１によって再生装置１と増幅装置１３を接続し、再生装置１によって圧縮音声信号をデコードしたＰＣＭ信号を増幅装置１３に出力する場合、増幅装置１３側ではＨＤＭＩ接続コード２１から入力したＰＣＭ信号の詳細なチャンネル構成情報を取得することができないことから、例えば、再生装置１が７．１Ｈｅｉｇｈｔチャンネルの圧縮音声信号をデコード処理して増幅装置１３に出力する場合、増幅装置１３側では、再生装置１から出力された８チャンネルの信号が７．１Ｂａｃｋ用の信号なのか、または、７．１Ｈｅｉｇｈｔ用の信号なのかを識別することができず、Ｌｈチャンネル及びＲｈチャンネルの信号がＬｂチャンネル用のスピーカ及びＲｂチャンネル用のスピーカから出力されてしまい、ＢＤコンテンツ製作者の意図通りのチャンネル出力が実現できずに、聴取者が良好なサラウンド音を聴取することができなくなってしまうことを防止することができる。
【００９２】
本実施例の再生装置１及び増幅装置１３は、光ディスク２に記録された圧縮音声信号のチャンネル構成情報が７．１Ｂａｃｋの場合、７．１Ｈｉｇｈｔの場合または５．１チャンネルの場合について説明したが、これらのチャンネル構成に係らず、Ｌチャンネル及びＲチャンネルの２つのチャンネルから成る２チャンネル構成、Ｌチャンネル、Ｒチャンネル及びＬＦＥチャンネルの３つのチャンネルから成る２．１チャンネル構成、または、それ以上のチャンネルから成るチャンネル構成に用いても良い。これにより、前述したようなチャンネル構成以外の多様なチャンネル構成の圧縮音声信号を扱う場合であっても、増幅装置が各スピーカに出力する際の出力チャンネルの切り換え先をチャンネル構成通りに正確に切り換えることができる。
【産業上の利用可能性】
【００９３】
本発明は、光ディスクに記録された音声信号を再生する再生装置及び当該再生装置により再生した音声信号を増幅する増幅装置に有用に用いることができる。
【符号の説明】
【００９４】
１  再生装置、２  光ディスク、３  システムコントローラ部、４  サーボ制御部、
５  ターンテーブル、６  スピンドルモータ、７  ピックアップ、８  ＲＦアンプ、
９  信号処理部、１０  デコード処理部、１１  ミキシング処理部、１２  音声出力部、
１３  増幅装置、１４  システムコントローラ部、１５  音声入力部、
１６  チャンネル拡張部、１７  D／A変換部、１８  アンプ、
１９  出力チャンネルセレクタ、２０  出力端子、２１  ＨＤＭＩ接続コード
【図１】
2012155789.tif 000003
【図２】
2012155789.tif 000004
【図３】
2012155789.tif 000005
【図４】
2012155789.tif 000006